(57)【要約】【課題】従来の、特にカメラマンが撮像装置を右肩の上に載せてビューファインダを覗き込みながら撮影を行うハンディタイプの撮像装置では、カメラマンは現在撮影してビューファインダに映っている被写体については確認できるが、それ以外の周囲、特に自身の右側に位置する人物などについては自らが右肩に載せている撮像装置により死角となり、その状況を把握することが困難となる。また、撮影現場にいない番組プロデューサが現場の状況を把握するための材料はカメラマンが撮影して伝送されてくるオンエア用の画像であり、伝送されてくる画像以外の状況について把握することは困難である。【解決手段】通常のオンエアで使用する画像以外に、それよりも広角な画像を撮像し、それをビューファインダ内に子画面として挿入したり、制御装置側に伝送することでカメラマンや番組プロデューサの死角を補うことができる。【選択図】  図１
2004159129.tif 000002
【特許請求の範囲】
【請求項１】
被写体を撮像して第１の画像信号を出力する第１の撮像部と、前記第１の撮像部よりも広角な被写体を撮像して第２の画像信号を出力する第２の撮像部と、前記第２の画像信号を子画面として前記第１の画像信号に挿入した合成画像信号を生成する画像合成部と、前記合成画像信号を入力して表示する第１のビューファインダ部とを備えたことを特徴とする撮像装置。
【請求項２】
第１の撮像部と、第２の撮像部と、前記第２の撮像部による第２の画像信号を前記第１の撮像部よりの第１の画像信号のブランキング期間に多重した多重画像信号を生成する画像多重部と、前記多重画像信号を送信する送信部とから成る撮像装置と、
前記送信部により送信された前記多重画像信号を受信する受信部と、受信された前記多重画像信号から前記第１の画像信号と前記第２の画像信号を分離する画像分離部とから成る制御装置と、
を備えたことを特徴とするカメラシステム。
【請求項３】
制御装置はさらに、前記画像分離部で分離された前記第２の画像信号に含まれる被写体の一部を選択したことを示すマーキングを付加したマーキング付加画像信号を生成するマーキング付加部と、前記マーキング付加画像信号を撮像装置側に送信する第２の送信部とを備え、
前記撮像装置はさらに、前記第２の送信部により送信された前記マーキング付加画像信号を受信する第２の受信部と、受信した前記マーキング付加画像信号を入力して表示するビューファインダ部とを備えたことを特徴とする請求項２に記載のカメラシステム。
【請求項４】
水平方向Ｍ画素、垂直方向Ｎ画素の画像信号を出力する撮像部と、前記画像信号を送信する第１の送信部とから成る撮像装置と、
前記送信部により送信された前記画像信号を受信する第１の受信部と、受信された前記画像信号から水平方向ｍ（ｍ＜Ｍ）画素、垂直方向ｎ（ｎ＜Ｎ）画素分を取り出した切出画像信号を出力する画像切出部と、前記第１の受信部から出力された前記画像信号に含まれる被写体の一部を選択したことを示すマーキングを付加したマーキング付加画像信号を生成するマーキング付加部と、前記マーキング付加画像信号を撮像装置側に送信する第２の送信部とから成る制御装置と、
前記撮像装置はさらに、前記第２の送信部により送信された前記マーキング付加画像信号を受信する第２の受信部と、受信した前記マーキング付加画像信号を入力して表示するビューファインダ部と、
を備えたことを特徴とするカメラシステム。
【発明の詳細な説明】
【０００１】
【発明の属する技術分野】
本発明はカメラマンがビューファインダで被写体を確認しながら撮影を行う、放送業務用の撮像装置および映像信号の伝送系も含めたカメラシステムに関するものである。
【０００２】
【従来の技術】
図８に従来の撮像装置の構成を示す。図８において１は被写体を撮像して画像信号を出力する撮像部、４は撮像部１により撮像した画像信号を入力して表示するビューファインダ部である。カメラマンはこのビューファインダ部４を用いて撮像した画像を確認しながら被写体を撮影している。
【０００３】
図９に撮像装置と制御装置から構成される従来のカメラシステムの構成を示す。図９において撮像装置側における１は図８における撮像部１と同じもの、６は撮像部１により撮像した画像信号を制御装置側に送信する送信部、制御装置側における７は送信部６により送信された画像信号を受信する受信部である。番組制作の場合などにはこのようなカメラシステムが使用され、撮像装置側は被写体のある撮影現場に、制御装置側は番組プロデューサなどがいる副調整室などに置かれ、カメラマンが撮像装置を用いて撮影した画像信号は制御装置側に伝送され、制御装置側ではその画像信号をモニタ表示して番組プロデューサが確認し、カメラマンに指示を与える。
【０００４】
また、図２に図８の従来の撮像装置および図９の従来のカメラシステムにより撮像される画像を説明する図を示す。
【０００５】
尚、図８，図９のＡ，Ｄの画像信号は図２のＡ，Ｄ点の画像に対応する。
【０００６】
以上のように構成された撮像装置について、以下、図８および図２を用いてその動作を述べる。
【０００７】
従来の撮像装置では、図２（ａ）に示す被写体に対して、図８に示す撮像部１により図２（ｂ）に示すような中央付近の２人の人物の上半身部分を撮像する。そしてこの合成画像を図８のビューファインダ部４に入力して表示する。
【０００８】
上記従来の放送業務用の撮像装置およびカメラシステムでは、通常はこのようにして撮影された図２（ｂ）に示される画像がオンエアで使用されることになる。
【０００９】
【特許文献１】
特開平６−１１３２９４号公報
【００１０】
【発明が解決しようとする課題】
しかしながら、上記従来の、特にカメラマンが撮像装置を右肩の上に載せてビューファインダを覗き込みながら撮影を行うハンディタイプの撮像装置では、カメラマンは現在撮影してビューファインダ部に映っている被写体すなわち図８のビューファインダ部４に表示されている被写体については確認できるが、それ以外の周囲、特に図２（ａ）に示すようにカメラマン自身の右側に位置する人物などについては自らが右肩に載せている撮像装置により死角となり、その状況を把握することが困難となる。
【００１１】
また、上記従来のカメラシステムでは、撮影現場にいない番組プロデューサが現場の状況を把握するための材料はカメラマンが撮影して伝送されてくるオンエア用の画像であり、例えばその画像に映っている被写体の一部を拡大して撮影するようにカメラマンに指示を与えることはできるが、伝送されてくる画像以外の状況、例えば図２（ａ）に示すように撮像している範囲の右側に位置する人物などについて把握してカメラマンに指示を与えることは困難である。
【００１２】
【課題を解決するための手段】
このような課題を解決するために、本願第１の発明の撮像装置は、被写体を撮像して第１の画像信号を出力する第１の撮像部と、前記第１の撮像部よりも広角な被写体を撮像して第２の画像信号を出力する第２の撮像部と、前記第２の画像信号を子画面として前記第１の画像信号に挿入した合成画像信号を生成する画像合成部と、前記合成画像信号を入力して表示する第１のビューファインダ部とを備えたことを特徴とする。
【００１３】
本願第２の発明のカメラシステムは、第１の撮像部と、第２の撮像部と、前記第２の撮像部による第２の画像信号を前記第１の撮像部よりの第１の画像信号のブランキング期間に多重した多重画像信号を生成する画像多重部と、前記多重画像信号を送信する送信部とから成る撮像装置と、前記送信部により送信された前記多重画像信号を受信する受信部と、受信された前記多重画像信号から前記第１の画像信号と前記第２の画像信号を分離する画像分離部とから成る制御装置と、を備えたことを特徴とする。
【００１４】
本願第３の発明のカメラシステムは、制御装置はさらに、前記画像分離部で分離された前記第２の画像信号に含まれる被写体の一部を選択したことを示すマーキングを付加したマーキング付加画像信号を生成するマーキング付加部と、前記マーキング付加画像信号を撮像装置側に送信する第２の送信部とを備え、前記撮像装置はさらに、前記第２の送信部により送信された前記マーキング付加画像信号を受信する第２の受信部と、受信した前記マーキング付加画像信号を入力して表示するビューファインダ部とを備えたことを特徴とする。
【００１５】
本願第４の発明のカメラシステムは、水平方向Ｍ画素、垂直方向Ｎ画素の画像信号を出力する撮像部と、前記画像信号を送信する第１の送信部とから成る撮像装置と、前記送信部により送信された前記画像信号を受信する第１の受信部と、受信された前記画像信号から水平方向ｍ（ｍ＜Ｍ）画素、垂直方向ｎ（ｎ＜Ｎ）画素分を取り出した切出画像信号を出力する画像切出部と、前記第１の受信部から出力された前記画像信号に含まれる被写体の一部を選択したことを示すマーキングを付加したマーキング付加画像信号を生成するマーキング付加部と、前記マーキング付加画像信号を撮像装置側に送信する第２の送信部とから成る制御装置と、前記撮像装置はさらに、前記第２の送信部により送信された前記マーキング付加画像信号を受信する第２の受信部と、受信した前記マーキング付加画像信号を入力して表示するビューファインダ部と、を備えたことを特徴とする。
【００１６】
【発明の実施の形態】
以下、本発明の実施の形態について説明する。
【００１７】
（実施の形態１）
図１は、実施の形態１の撮像装置の構成図で、１および４は従来の撮像装置である図８の１および４と同じ第１の撮像部および第１のビューファインダ部、２は第１の撮像部１よりも広角な被写体を撮像して第２の画像信号を出力する第２の撮像部、３は第２の画像信号を子画面として第１の画像信号に挿入した合成画像信号を生成する画像合成部である。
【００１８】
また、図２に図１の実施の形態１の撮像装置により撮像される画像を説明する図を示す。
【００１９】
尚、図１のＡ，Ｂ，Ｃの画像信号は図２のＡ，Ｂ，Ｃ点の画像に対応する。
【００２０】
以上のように構成された撮像装置について、以下、図１および図２を用いてその動作を述べる。
【００２１】
実施の形態１の撮像装置では、図２（ａ）に示す被写体に対して、図１に示す第１の撮像部１により通常のオンエアで使用する画像として図２（ｂ）に示すような中央付近の２人の人物の上半身部分を撮像し、図１に示す第２の撮像部２により図２（ｃ）に示すように第１の撮像部１よりも広角である被写体を撮像する。そして図１の画像合成部３では、図２（ｃ）に示す第２の撮像部２により得られる画像信号を子画面として図２（ｂ）に示す第１の撮像部１により得られる画像信号に合成し、図２（ｄ）に示すような合成画像を生成する。そしてこの合成画像を図１のビューファインダ部４に入力して表示する。これにより従来の撮像装置ではビューファインダ部を覗いているカメラマンの死角となる部分、例えば図２（ａ）に示す右端の人物をビューファインダ部４に表示される子画面により確認できるため、次のオンエア画像の候補としてこの右端の人物を認識することが可能となる。
【００２２】
これにより従来の撮像装置では困難であった図２（ｂ）に示すようなオンエア画像に映っている画像以外の状況、例えば図２（ａ）に示すように撮像している範囲の右側に位置する人物などのようにカメラマンの死角にある被写体についても把握することが可能となる。
【００２３】
（実施の形態２）
図３は、実施の形態２の撮像装置と制御装置から構成されるカメラシステムの構成図で、撮像装置側の１および２は実施の形態１の撮像装置である図１の撮像装置側の１および２と同じ第１の撮像部および第２の撮像部、５は第２の画像信号を第１の画像信号のブランキング期間に多重した多重画像信号を生成する画像多重部、６は多重画像信号を制御装置側に送信する送信部、制御装置側の７は送信部６により送信された多重画像信号を受信する受信部、８は受信された多重画像信号から第１の画像信号と第２の画像信号を分離する画像分離部である。
【００２４】
また、図２に図３の実施の形態２のカメラシステムにより撮像される画像を説明する図を、図４に実施の形態２のカメラシステムにより撮像される２つの画像信号を伝送する際の多重方法について説明する図を示す。
【００２５】
尚、図３のＡ，Ｂ，Ｄ，Ｅの画像信号は図２のＡ，Ｂ，Ｄ，Ｅ点の画像に対応する。
【００２６】
以上のように構成されたカメラシステムについて、以下、図３および図２を用いてその動作を述べる。
【００２７】
実施の形態２のカメラシステムでは、撮像装置側では図２（ａ）に示す被写体に対して、図３に示す第１の撮像部１により通常のオンエアで使用する画像として図２（ｂ）に示すような中央付近の２人の人物の上半身部分を撮像し、図３に示す第２の撮像部２により図２（ｃ）に示すように第１の撮像部１よりも広角である被写体を撮像する。そして図３の画像多重部５では、図４に示すように第２の撮像部２により得られる画像信号を第１の撮像部１により得られる画像信号のブランキング期間に多重する。そしてこの多重画像信号を図３の送信部６により制御装置側に送信する。制御装置側では送信部６より送信された多重画像信号を受信部７により受信する。そして画像分離部８により図４に示すような受信部７により受信された多重画像信号から第１の画像信号と第２の画像信号を分離してそれぞれ出力する。
【００２８】
これにより従来のカメラシステムでは困難であった図２（ｂ）に示すようなオンエア画像に映っている画像以外の状況、例えば図２（ａ）に示すように撮像している範囲の右側に位置する人物などについては、図２（ｃ）に示すような第２の画像信号に含まれているため、番組プロデューサはそれを把握してインカム音声などによりカメラマンに指示を与えることが可能となる。
【００２９】
（実施の形態３）
図５は、実施の形態３の撮像装置と制御装置から構成されるカメラシステムの構成図で、撮像装置側の１、２、５、６および制御装置側の７、８は実施の形態２のカメラシステムである図３の撮像装置側の１、２、５、６および制御装置側の７、８と同じ撮像装置側の第１の撮像部、第２の撮像部、画像多重部、（第１の）送信部および制御装置側の（第１の）受信部、画像分離部である。制御装置側の９は画像分離部８で分離された第２の画像信号に含まれる被写体の一部を選択したことを示すマーキングを付加したマーキング付加画像信号を生成するマーキング付加部、１０はマーキング付加画像信号を撮像装置側に送信する第２の送信部、撮像装置側の１１は第２の送信部１０により送信されたマーキング付加画像信号を受信する第２の受信部、１２は受信したマーキング付加画像信号を入力して表示するビューファインダ部である。
【００３０】
また、図２に図５の実施の形態３のカメラシステムにより撮像される画像を説明する図を示す。
【００３１】
尚、図５のＡ，Ｂ，Ｄ，Ｅ，Ｆ，Ｇの画像信号は図２のＡ，Ｂ，Ｄ，Ｅ，Ｆ，Ｇ点の画像に対応する。
【００３２】
以上のように構成されたカメラシステムについて、以下、図５および図２を用いてその動作を述べる。
【００３３】
実施の形態３のカメラシステムでは、撮像装置側の１、２、５、６および制御装置側の７、８の動作は、実施の形態２のカメラシステムにおける撮像装置側の１、２、５、６および制御装置側の７、８と同じである。そして制御装置側の画像分離部８で分離された第２の画像信号に対してマーキング付加部９により、その画像中の一部を注目画像として選択してマーキングを付加する。そうして得られたマーキング付加画像信号を制御装置側の第２の送信部１０により撮像装置側に送信する。撮像装置側では第２の送信部１０により送信されたマーキング付加画像信号を第２の受信部１１により受信し、受信されたマーキング付加画像信号はビューファインダ部１２により表示する。
【００３４】
これにより従来のカメラシステムでは困難であった図２（ｂ）に示すようなオンエア画像に映っている画像以外の状況、例えば図２（ａ）に示すように撮像している範囲の右側に位置する人物などについて把握して、画像のその部分にマーキングを付加してカメラマンにその画像を見せることにより指示を与えることが可能となる。
【００３５】
（実施の形態４）
図６は、実施の形態４の撮像装置と制御装置から構成されるカメラシステムの構成図で、撮像装置側の１３は水平方向Ｍ画素、垂直方向Ｎ画素の画像信号を出力する撮像部、１４は画像信号を制御装置側に送信する第１の送信部、制御装置側の１５は第１の送信部１４により送信された画像信号を受信する第１の受信部、１６は受信された画像信号から水平方向ｍ（ｍ＜Ｍ）画素、垂直方向ｎ（ｎ＜Ｎ）画素分を取り出した切出画像信号を出力する画像切出部、１７は第１の受信部１５から出力された画像信号に、そこに含まれる被写体の一部を選択したことを示すマーキングを付加したマーキング付加画像信号を生成するマーキング付加部、１８はマーキング付加画像信号を撮像装置側に送信する第２の送信部、撮像装置側では第２の送信部１８により送信されたマーキング付加画像信号を受信する第２の受信部、受信したマーキング付加画像信号を入力して表示するビューファインダ部である。
【００３６】
また、図７に図６の実施の形態４のカメラシステムにより撮像される画像を説明する図を示す。
【００３７】
尚、図６のＨ，Ｉ，Ｊ，Ｋ，Ｌの画像信号は図７のＨ，Ｉ，Ｊ，Ｋ，Ｌ点の画像に対応する。
【００３８】
以上のように構成されたカメラシステムについて、以下、図７および図６を用いてその動作を述べる。
【００３９】
実施の形態４のカメラシステムでは、撮像装置側では図７（ａ）に示す被写体に対して、図６に示す撮像部１３により水平方向Ｍ画素、垂直方向Ｎ画素の画像信号として図７（ｂ）に示すような画像を撮像する。そしてこの画像信号を図６の第１の送信部１４により制御装置側に送信する。制御装置側では第１の送信部１４より送信された画像信号を第１の受信部１５により受信する。そして通常のオンエアで使用する画像として、画像切出部１６によりこの第３の画像信号から図７（ｃ）に示す水平方向ｍ（ｍ＜Ｍ）画素、垂直方向ｎ（ｎ＜Ｎ）画素分を図７（ｄ）に示すように切出画像信号として取り出す。一方、制御装置側の受信装置１５で受信された画像信号に対してマーキング付加部１７により、その画像中の一部を注目画像として選択してマーキングを付加する。そうして得られたマーキング付加画像信号を制御装置側の第２の送信部１８により撮像装置側に送信する。撮像装置側では第２の送信部１８により送信されたマーキング付加画像信号を第２の受信部１９により受信し、受信されたマーキング付加画像信号はビューファインダ部２０により表示する。
【００４０】
このように図７（ｄ）に示すような水平方向ｍ、垂直方向ｎ画素の画像をオンエア画像として使用する場合に、撮像装置側ではそれよりも多画素、すなわち水平方向Ｍ（ｍ＜Ｍ）画素、垂直方向Ｎ（ｎ＜Ｎ）画素の画像信号を出力できる撮像部を用いて、図７（ｂ）に示すようにより広い範囲を撮像することにより、従来のカメラシステムでは困難であった図７（ｄ）に示すようなオンエア画像に映っている画像以外の状況、例えば図７（ａ）に示すように撮像している範囲の右側に位置する人物などについては、図７（ｂ）に示すような画像信号に含まれているため、番組プロデューサはそれを把握してインカム音声や図７（ｅ）に示すようなマーキング付加画像を撮像装置側に送り返すことなどによりカメラマンに指示を与えることが可能となる。
【００４１】
【発明の効果】
以上のように本発明によれば、通常オンエアで使用する画像よりも広角な画像を撮像し、それを利用することでカメラマンや番組プロデューサの死角を補い、また番組プロデューサからカメラマンへの指示を的確に伝えることができる撮像装置およびカメラシステムを提供できるという効果が得られる。
【図面の簡単な説明】
【図１】本発明の実施の形態１に係る撮像装置の構成を示すブロック図
【図２】図１、図３、図５、図８、図９の撮像装置およびカメラシステムにより撮像される画像を説明する図
【図３】本発明の実施の形態２に係るカメラシステムの構成を示すブロック図
【図４】図３のカメラシステムで伝送する２つの画像信号の多重方法を示す図
【図５】本発明の実施の形態３に係るカメラシステムの構成を示すブロック図
【図６】本発明の実施の形態４に係るカメラシステムの構成を示すブロック図
【図７】図６のカメラシステムにより撮像される画像を説明する図
【図８】従来の撮像装置の構成を示すブロック図
【図９】従来のカメラシステムの構成を示すブロック図
【符号の説明】
１、２  撮像部
３  画像合成部
４、１２，２０  ビューファインダ部
５  画像多重部
６、１０、１４、１８  送信部
７、１１，１５，１９  受信部
８  画像分離部
９、１７  マーキング部
１６  画像切出部
【図１】
2004159129.tif 000003
【図２】
2004159129.tif 000004
【図３】
2004159129.tif 000005
【図４】
2004159129.tif 000006
【図５】
2004159129.tif 000007
【図６】
2004159129.tif 000008
【図７】
2004159129.tif 000009
【図８】
2004159129.tif 000010
【図９】
2004159129.tif 000011